(57)【要約】【課題】  ガラス戸の内側に近接させて配置される引き違い式の建具において、建具全体を開けることなく、このガラス戸に設けられるクレセント錠の操作を簡単かつ容易にすることができ、かつ外出時や就寝時の施錠の確認が容易にできる引き違い建具を提供する。【解決手段】  クレセント錠を有する屋外側の引き違い式のガラス戸の内側に近接させて並設される引き違い建具において、前記引き違い建具のうち、前記クレセント錠の回転子８が取付けられたガラス戸と近接する引き違い建具２側に、前記回転子８と相対させて、開閉自在な小窓４を形成して引き違い建具１とする。【選択図】        図１
0003101803.tif 000002
【実用新案登録請求の範囲】
【請求項１】
クレセント錠を有する屋外側の引き違い式のガラス戸の内側に近接させて並設される引き違い建具において、
前記引き違い建具のうち、前記クレセント錠の回転子が取付けられたガラス戸と近接する引き違い建具側に、前記回転子と相対させて、開閉自在な小窓を形成したこと
を特徴とする引き違い建具。
【請求項２】
前記建具は、明り障子であること
を特徴とする請求項１に記載の引き違い建具。
【請求項３】
前記小窓は、引き違い式の明り障子であること
を特徴とする請求項１に記載の引き違い建具。
【請求項４】
前記引き違い建具は、明り障子であって、前記クレセント錠の回転子と近接して相対する一方の明り障子に開閉自在な小窓を形成するとともに、他方の明り障子にも、前記小窓と左右対称となるよう小窓が形成されていること
を特徴とする請求項１に記載の引き違い建具。
【考案の詳細な説明】
【技術分野】
【０００１】
この考案は、ガラス戸の内側に近接して配置される引き違い建具、より具体的には、和室に設けられる明り障子のような引き違い建具に関するものである。
【背景技術】
【０００２】
戸建住宅や集合住宅などの和室などに設けられる引き違いの障子は、数多くの種類が存在し、その中でも、障子の内側に小障子を設け開閉できるようにした障子としては、例えば、障子の組子の一部、上下に小溝を形成し、２枚の小障子を嵌め込み、左右に開閉できるようにしたもの、または１枚の小障子を嵌め込み、片引きに開閉するようにした猫間障子、さらに、障子の下半分を組子の間で上下にスライドできるようにし、その下半分の外側にガラスを入れた雪見障子などが挙げられる。
【０００３】
しかしながら、これら従来の引き違いの障子は、右側の障子戸が手前になるように構成されているため、この障子に並設されるガラス戸の右側の戸を開けたい場合は、まず、左側の障子戸を開け、ガラス戸に設けられているクレセント錠の鍵を開錠し、左側の障子戸を閉め、さらに、右側の障子戸を開け、右側のガラス戸を開けるというきわめて煩瑣な作業をしなければならないもので、外出に際しては、施錠の確認にも障子戸全体を開閉しなければならず、時間が掛かってしまうものであった。
【０００４】
そこで、たとえば、特開平１１−１６６３７０号公報（特許文献１）においては、４枚一組の屋内側建具に対し、屋外側に適宜間隔を置き、同じく４枚一組の屋外側建具が併設される引違い二重建具構造であって、屋外側建具は、それ用に対をなしてサッシュ枠本体に設けられている二筋の軌道の中、閉状態で中央は位置となる２枚の屋外用中建具が屋外側の軌道を案内とし、残る２枚の屋外用袖建具が屋内側の軌道を案内として夫々左右移動自在に建てこまれるようにした上、それら２枚の屋外用中建具と２枚の屋外用袖建具とを閉状態に引き合わせたときに内外に重なり合う屋外用中建具および屋外用袖建具の各縦框部の中、左側配置となる屋外用袖建具は、その縦框部右側面の適所に、また右側配置となる屋外用袖建具は、その縦框部左側面適所に夫々施錠機構部が取着されると共に、それら施錠機構部に対応する屋外用中建具の各縦框部右側面または左側面に施錠係合部が取着されるようにする引違い二重建具構造が提供されている。
【特許文献１】特開平１１−１６６３７０号公報（特許請求の範囲、図１、図５）
【考案の開示】
【考案が解決しようとする課題】
【０００５】
この特許文献１に記載の引違い二重建具構造は、４枚一組の屋内側建具の中央２枚を開けるだけで屋外側建具の施錠機構部を操作でき、屋外用中建具の開閉をすることができるので有用なものではあるが、左右の屋外用袖建具を開閉したい場合には、従来のように屋内側建具を複数回開閉してから施錠機構部を操作しなくてはならず、左右の屋外用袖建具を開閉するということについては一切考慮されていないものである。
【０００６】
また、これら従来の障子を雨戸付きの窓に設置する場合は、前述した煩瑣な作業が必要なことを考慮して、使い勝手を優先してしまうと、雨戸の戸袋の位置などを変更しなければならず、プラン上の制約が大きくなり、建物全体のデザインや設計の効率などに悪影響を与えてしまうものである。
【０００７】
この考案はかかる現状に鑑み、ガラス戸の内側に近接させて配置される引き違い式の建具において、建具全体を開けることなく、このガラス戸に設けられるクレセント錠の操作を簡単かつ容易にすることができ、かつ外出時や就寝時の施錠の確認が容易にできる引き違い建具を提供せんとするものである。
【課題を解決するための手段】
【０００８】
前記目的を達成するため、この考案の請求項１に記載の考案は、
クレセント錠を有する屋外側の引き違い式のガラス戸の内側に近接させて並設される引き違い建具において、
前記引き違い建具のうち、前記クレセント錠の回転子が取付けられたガラス戸と近接する引き違い建具側に、前記回転子と相対させて、開閉自在な小窓を形成したこと
を特徴とする引き違い建具である。
【０００９】
また、この考案の請求項２に記載の考案は、
請求項１に記載の引き違い建具において、
前記建具は、明り障子であること
を特徴とするものである。
【００１０】
また、この考案の請求項３に記載の考案は、
請求項１に記載の引き違い建具において、
前記小窓は、引き違い式の明り障子であること
を特徴とするものである。
【００１１】
また、この考案の請求項４に記載の考案は、
請求項１に記載の引き違い建具において、
前記引き違い建具は、明り障子であって、前記クレセント錠の回転子と近接して相対する一方の明り障子に開閉自在な小窓を形成するとともに、他方の明り障子にも、前記小窓と左右対称となるよう小窓が形成されていること
を特徴とするものである。
【考案の効果】
【００１２】
この考案の引き違い建具は、クレセント錠を有する屋外側の引き違い式のガラス戸の内側に近接させて並設されるもので、引き違い建具のうち、前記クレセント錠の回転子が取付けられたガラス戸と近接する引き違い建具側に、前記回転子と相対させて、開閉自在な小窓を形成したので、従来の引き違い式の明り障子のように、クレセント錠の回転子に近い側の明り障子を開けることなく、小窓の一部を開放するのみで、クレセント錠の回転子を操作し、ガラス戸を確実に開放させることができる。
【００１３】
特に、この考案においては、クレセント錠の回転子が取付けられたガラス戸と近接する引き違い建具側に、前記回転子と相対させて小窓を形成しているので、外出時あるいは就寝時などに施錠の有無を簡単に確認することができ、構造がきわめて簡単であるため、集合住宅や戸建においても、建築上の制約が一切なく、建築効率を向上させることができるものである。
【考案を実施するための最良の形態】
【００１４】
以下、この考案にかかる引き違い建具の好ましい実施例として、明り障子の例を添付の図面に基づいてより具体的に説明する。
【００１５】
この考案の引き違い建具の一例としての明り障子１は、図１に示すように、左右方向に引き違えが可能な一対の障子フレーム２，３で構成されるもので、各障子フレーム２，３は、所要の大きさを有するフレーム内のほぼ中央部にサブフレームをそれぞれ設けて小窓４，４を形成するとともに、その余の部位を格子状に区画し、各障子フレーム２，３の裏面側に和紙を貼着して障子紙５としたもので、前記フレームおよびサブフレームは、いずれも木製とすることが好ましい。
【００１６】
前記小窓４，４は、前記障子フレーム２，３の内側に小障子６を取付けるためのものであって、図１、図２に示すように、前記障子フレーム２および３の縦枠間に、長手方向に直交するように所定の間隔を存して平行状態で配設されるもので、この小窓４，４の相対する上下面には、それぞれ小障子６を取付けるための凹溝７が形成され、その取付け位置は、並設されるガラス戸に設けられるクレセント錠８と同じ高さ位置である。
【００１７】
前記小障子６は、図１，図２に示しているように、前記サブフレームによって形成された小窓４，４内に収まる木製の角材からなる矩形状のフレームで形成されるとともに、このフレームの内部に桟部材を一体的に取付け、その裏側に障子紙９貼り付けたもので、その開閉方式には特に限定しないものであるが、引き違い方式であることが好ましいものである。
【００１８】
なお、前記小障子６は、図３に示すように、前記小窓４，４を構成するサブフレームの上部および下部に凹溝７が形成されるとともに、前記小障子の上下部には、前記小窓４，４に形成した凹溝７と係合する凸条１０，１０をそれぞれ形成したものである。
【００１９】
かかる構成の引き違い建具の一例である明り障子１は、屋外側に配置される引き違い式のガラス戸の内側、すなわち屋内側に近接して明り障子３が手前側（屋内側）となるよう配設されるもので、小窓４，４は通常は閉止された状態にあるが、就寝時などにガラス戸を閉止するには、クレセント錠の回転子８に近接して配置された明り障子２側の小窓４を図２に示すように開放すれば、開口部に前記クレセント状の回転子８が顕出するので、回転子を操作してガラス戸を閉止するもので、開放する場合には逆の操作をすればよい。
【００２０】
かかる構成からなる引き違い建具は、並設されるガラス戸に設けられたクレセント錠と同じ高さ位置に小窓を形成し、この小窓に引き違い式の子障子をもうけたので、この小障子を開閉けることによって、明り障子全体を開けることなくガラス戸のクレセント錠を操作することができる。
【図面の簡単な説明】
【００２１】
【図１】この考案にかかる引き違い建具の一実施の形態を示す正面図である。
【図２】図１の引き違い建具の要部を示す斜視図である。
【図３】小窓と子障子の関係を示す一部切欠側面図である。
【符号の説明】
【００２２】
１        明り障子
２，３    障子フレーム
４        小窓
５        障子紙
６        小障子
７        凹溝
８        クレセント錠の回転子
１０        凸条
【図１】
0003101803.tif 000003
【図２】
0003101803.tif 000004
【図３】
0003101803.tif 000005